(57)【要約】【課題】引出しの上部空間を使い勝手よく、かつ、有効に利用できるキッチンキャビネットの引出し構造を提供する。【解決手段】キッチンカウンタ５下方の側板５１と背板５２とからなる自由空間Ｓにスライド自在に収められる引出し３と、この引出し３の収納室４上方に配置され、枠体２に懸架された収納棚１とからなる引出し構造Ａであって、上記枠体２を上記側板５１に固定されたガイドレール６にスライド自在に架設するとともに、上記収納棚１は引出し３の前面板３１でカバーされたキッチンキャビネットの引出し構造。【選択図】図１
2005211092.tif 000002
【特許請求の範囲】
【請求項１】
キッチンカウンタ下方の側板と背板とからなる自由空間にスライド自在に収められる引出しと、この引出しの収納室上方に配置され、枠体に懸架された収納棚とからなる引出し構造であって、上記枠体を上記側板に固定されたガイドレールにスライド自在に架設するとともに、上記収納棚は引出しの前面板でカバーされたキッチンキャビネットの引出し構造。
【請求項２】
上記収納棚が大きさの異なる複数のトレイから構成された請求項１に記載のキッチンキャビネットの引出し構造。
【請求項３】
上記ガイドレールが断面コの字型のチャンネルである請求項１に記載のキッチンキャビネットの引出し構造。
【請求項４】
上記ガイドレールにストッパ機構が設けられた請求項１に記載のキッチンキャビネットの引出し構造。
【発明の詳細な説明】
【技術分野】
【０００１】
本発明は、キッチンキャビネットの引出しの構造に関する。さらに詳しくは、上記引出しの上部空間を有効に利用するための引出し構造に関する。
【背景技術】
【０００２】
キッチンキャビネットの収納部には食生活の多様化に伴って、種々のサイズのびんや容器、缶類が収納されるようになり、近年、上記キャビネットのカウンタ下方に設けられる引出しが大型化する傾向にある。しかし、引出しを大型化し、収納室の高さを大きくとると、積み重ねた状態でキッチン用品を収納しなければならず、下部に収めた物品は取り出し難く、使い勝手が悪いという問題がある。そこで、このような問題を解決して、引出しの上部空間を有効に利用するため、既に種々の構造が提案されているが、必ずしも満足できるものとはいえない。
【特許文献１】特開平７−６７７３５号公報（第１−３頁、第１、３、４図）
【特許文献２】特開平５−３０９０２３号公報（第１−３頁、第１図）
【発明の開示】
【発明が解決しようとする課題】
【０００３】
本発明はこのような状況の下で考え出されたものであって、キッチンキャビネットのカウンタの下方に設けられるとともに、引出しの上部空間を使い勝手よく、かつ、有効に利用できるキッチンキャビネットの引出し構造を提供することを、その課題とする。
【課題を解決するための手段】
【０００４】
本発明は、上記課題を解決するために考え出されたものであって、つぎのような技術的手段を講じている。すなわち、本発明によれば、キッチンカウンタ下方の側板と背板とからなる自由空間にスライド自在に収められる引出しと、この引出しの収納室上方に配置され、枠体に懸架された収納棚とからなる引出し構造であって、上記枠体を上記側板に固定されたガイドレールにスライド自在に架設するとともに、上記収納棚は引出しの前面板でカバーされたキッチンキャビネットの引出し構造が提供される。
【０００５】
上記収納棚が大きさの異なる複数のトレイから構成されることが好ましい。各トレイには上記枠体に懸架できるように、その前後に係止部が付設される。
【０００６】
上記ガイドレールが断面コの字型のチャンネルであることが好ましい。また、このガイドレールには、収納棚を引出し過ぎて外れないようにするストッパ機構を設けることが好ましい。
【発明の効果】
【０００７】
請求項１に記載の発明は上記のとおりであり、とくに、枠体を側板に固定されたガイドレールにスライド自在に架設して上記枠体に懸架された収納棚をスライド自在に支持するとともに、上記収納棚は引出しの前面板でカバーされるため、引出しの上部空間を有効に利用することができる。
【０００８】
上記収納棚が大きさの異なる複数のトレイから構成されるため、使用者の好みに応じてトレイの大きさを選択できるとともに、トレイの交換も可能となり、また、収納棚下方の引出しの収納室にも種々の大きさのキッチン用品等を収納することできる。
【０００９】
上記ガイドレールが断面コの字型のチャンネルで形成されるため、上記枠体を容易にスライド自在に架設することができるとともに、この枠体に懸架された収納棚もスライド自在となり、上記係止部を手で持って引出しと連動させ、調理道具等を容易に出し入れすることができる。また、上記ガイドレールに、ストッパ機構が設けられ、収納棚を引出し過ぎても外れないようにされているため、収納棚を安心して、使い勝手よく使用できる。
【発明を実施するための最良の形態】
【００１０】
以下、本発明の実施形態について図面を参照して、詳細に説明する。図１は、本発明にかかるキッチンキャビネットの引出し構造を示す分解斜視図である。図１によく示されているように、上記引出し構造Ａは、枠体２に懸架される収納棚１と引出し３とからなり、収納棚１は、引出し３の前面板３１、側面板３２および後面板３３からなる収納室４の上方に配置されるとともに、大きさの異なる複数のトレイ１１、１２、１３から構成されている。また、各トレイの前後には、枠体２に懸架するための係止部１１１、１２１、１３１が設けられ、全体は引出し３の前面板３１でカバーされている。
【００１１】
図２は、キッチンカウンタ５の下方に設けられ、両側板５１と背板５２とからなる自由空間Ｓを示す斜視図であり、この自由空間Ｓに上記引出し構造Ａが収められる。また、上記側板５１、５１には断面コの字型のチャンネルからなるガイドレール６が固定されている。図３は、上記２本のガイドレール６に、図１に示す枠体２をスライド自在に架設し、該枠対２にトレイ１１、１２、１３を懸架し、該トレイ１１、１２、１３からなる収納棚１がガイドレール６によってスライド自在に支持された状態を示す平断面図である。上記スライド自在とされた収納棚１は、引出し３を手前に引き出した状態で、係止部１１１、１２１、１３１のいずれかを引き出すことにより、収納棚１内の調理道具等を容易に出し入れすることができる。また、図示は省略するが、ガイドレール６には、収納棚１を引出し過ぎて外れないようにするストッパ機構が設けられている。
【００１２】
図４は、本発明にかかるキッチンキャビネットの引出し構造Ａの収納室４に種々のキッチン用品を収納した状態を示す側断面図である。図４からよくわかるように、枠体２には大きさの異なるトレイ１１、１２、１３が懸架されるため、引出し３の収納室４には、高さの異なるびんや容器、缶類等種々のキッチン用品を、その大きさに応じて配置することが可能となり、収納室４の上方空間を有効に利用できる。
【００１３】
上記、断面コの字型のガイドレール６を側板５１に固定した形態について説明したが、これに限られず側板５１、５１に溝部を凹設し、この溝部に枠体２を架設してもよい。また、この溝部の底部にローラを設けて枠体２をよりスムースにスライドするようにしてもよい。このように、本発明は種々設計変更可能であり、特許請求の範囲を超えない限り、いずれも本発明の技術的範囲に含まれる。
【図面の簡単な説明】
【００１４】
【図１】本発明にかかるキッチンキャビネットの引出し構造を示す分解斜視図である。
【図２】キッチンカウンタの下方に設けられた自由空間を示す斜視図である。
【図３】枠体をガイドレールに架設し、収納棚がスライド自在に支持された状態を示す平断面図である。
【図４】本発明にかかるキッチンキャビネットの引出し構造に種々のキッチン用品を収納した状態を示す側断面図である。
【符号の説明】
【００１５】
Ａ          本発明にかかるキッチンキャビネットの引出し構造
１          収納棚
１１        トレイ
１２        トレイ
１３        トレイ
１１１      トレイに付設された係止部
１２１      トレイに付設された係止部
１３１      トレイに付設された係止部
２          枠体
３          引出し
３１        前面板
３２        側面板
３３        後面板
４          収納室４
５          キッチンカウンタ
５１        自由空間を構成する側板
５２        自由空間を構成する背板
６          ガイドレール
Ｓ          本発明にかかる引出し構造が収められる自由空間
【図１】
2005211092.tif 000003
【図２】
2005211092.tif 000004
【図３】
2005211092.tif 000005
【図４】
2005211092.tif 000006